(57)【特許請求の範囲】
【請求項１】
胴部１上端から口頸部２を起立し、該口頸部上端面から第１嵌合筒３を起立した容器体Ａと、
上記第１嵌合筒３外面へ第２嵌合筒４内面を嵌合させ、該第２嵌合筒上端から内向きフランジ５を突設し、該内向きフランジのフランジ孔へ流出筒６を貫設させ、該流出筒の下部内面に係合突条７を周設すると共に、流出筒６上面を肉薄の頂壁８で閉塞させ、かつ、該頂壁中央部を十字形状の切り離し線９穿設で舌片状弁板１０に形成した塗布部材Ｂと、
容器体の倒立状態で上記舌片状弁体を押し下げて開弁させる手段として、上記係合突条７上面へ載置させた玉弁体Ｃと
を有し、該玉弁体Ｃの直径を上記流出筒６内を上下に摺動可能な径に定めて、容器体Ａを倒立させたときに、玉弁体Ｃが上記各舌片状弁板10に当たってこれら弁板を押し下げることで開弁し、容器体を正立させたときに上記各舌片状弁板10の弾性復元により閉弁する流量調整弁を、それら舌片状弁板10と玉弁体Ｃとで形成したことを特徴とする液体塗布容器。
【請求項２】
上記口頸部２外面に雄ねじを形成し、該口頸部の歯元円の直径を上記第２嵌合筒４外面の外径とほぼ相等しく形成した口頸部外面へ筒１４下部内面を螺合させると共に、該筒上面を頂板１５で閉塞させ、該頂板下面外周部から垂下筒１６を垂設し、該垂下筒下面を上記内向きフランジ５上面へ当接させたキャップＤを有し、更に上記流出筒６の頂壁８上面にキャップ頂板１５下面を当接ないし近接させた、
ことを特徴とする請求項１記載の液体塗布容器。
【発明の詳細な説明】
【０００１】
【発明の属する技術分野】
本発明は毛髪剤等の液体を頭部等の塗布面に塗布する液体塗布容器に関する。
【０００２】
【従来の技術】
毛髪剤等の液体を頭部等に塗布する液体塗布容器として、胴部から口頸部を起立し、該口頸部外面へ螺合自在なキャップで口頸部を閉塞させるものが知られている。
このような塗布容器では、毛髪剤等の液体を頭部に塗布する場合、容器体を倒立させることにより一度に多量の液体が流出しないように一般に流出口を小径にし、注出は容器体を上下にふることにより、あるいは圧搾可能な胴部を圧搾させることにより行っている。
【０００３】
【発明が解決しようとする課題】
容器体を上下にふることにより注出させるものでは塗布が多少面倒であり、一方、胴部を圧搾させるものでは注出量の少量調節に多少の難点がある。
【０００４】
請求項１記載の液体塗布容器は、流出筒頂壁に形成した舌片状弁板と玉弁体とで一種の流量調節弁を形成させることにより、単に容器体を倒立させるだけで、しかも、適量の液体を注出させるようにするものである。
【０００５】
請求項２記載の液体塗布容器は、上記請求項１記載の液体塗布容器が有する解決課題を有するほか、流出筒の頂壁上面にキャップ頂板下面を当接ないし近接させることにより、不使用時における舌片状弁板の屈曲を不能にするものである。
【０００６】
【課題を解決するための手段】
第１の手段として、
胴部１上端から口頸部２を起立し、該口頸部上端面から第１嵌合筒３を起立した容器体Ａと、
上記第１嵌合筒３外面へ第２嵌合筒４内面を嵌合させ、該第２嵌合筒上端から内向きフランジ５を突設し、該内向きフランジのフランジ孔へ流出筒６を貫設させ、該流出筒の下部内面に係合突条７を周設すると共に、流出筒６上面を肉薄の頂壁８で閉塞させ、かつ、該頂壁中央部を十字形状の切り離し線９穿設で舌片状弁板１０に形成した塗布部材Ｂと、
上記係合突条７上面へ載置させた玉弁体Ｃとを有し、該玉弁体Ｃの直径を上記流出筒６内を上下に摺動可能な径に定めて、容器体Ａを倒立させたときに、玉弁体Ｃが上記各舌片状弁板10に当たってこれら弁板を押し下げることで開弁し、容器体を正立させたときに上記各舌片状弁板10の弾性復元により閉弁する流量調整弁を、それら舌片状弁板10と玉弁体Ｃとで形成したことを特徴とする。
【０００７】
第２の手段として、上記第１の手段を有すると共に、上記口頸部２外面に雄ねじを形成し、該口頸部の歯元円の直径を上記第２嵌合筒４外面の外径とほぼ相等しく形成した口頸部外面へ筒１４下部内面を螺合させると共に、該筒上面を頂板１５で閉塞させ、該頂板下面外周部から垂下筒１６を垂設し、該垂下筒下面を上記内向きフランジ５上面へ当接させたキャップＤを有し、更に上記流出筒６の頂壁８上面にキャップ頂板１５下面を当接ないし近接させた。
【０００８】
【発明の実施の形態】
以下、本発明の実施形態を図面を参照しながら説明する。
Ａは容器体で、胴部１上端部から肩部を介して口頸部２を起立し、該口頸部上端面の内周部から第１嵌合筒３を起立し、さらに、口頸部２外面に雄ねじを形成する。
【０００９】
Ｂは塗布部材で、第１嵌合筒３外面へ第２嵌合筒４内面を嵌合させ、該第２嵌合筒上端から内向きフランジ５を突設し、該内向きフランジのフランジ孔へ流出筒６を貫設させ、該流出筒の下端部内面に係合突条７を周設すると共に、流出筒６上面を肉薄の頂壁８で閉塞させる。該頂壁は平板で形成することも可能であるが、通常は図示するように上方湾曲壁で形成する。そして、該上方湾曲壁の頂部を十字形状の切り離し線９穿設で４枚の舌片状弁板１０に形成する。
【００１０】
係合突条７よりも上方の流出筒６内面部分に複数のリブ１１を縦設する。また、内向きフランジ５下面から第３嵌合筒１２を垂設して該第３嵌合筒を第１嵌合筒３内面へ嵌合させる。さらに、内向きフランジ５上面から第４嵌合筒１３を起立する。
なお、塗布部材Ｂはエラストマーやゴム等の比較的柔らかい軟質材で形成する。
【００１１】
Ｃは玉弁体で、係合突条７上面へ載置させている。該玉弁体の直径は流出筒６内を上下に摺動可能な径に定める。また、該玉弁体は、例えば合成樹脂材やセラミック等で形成する。
【００１２】
Ｄはキャップで、雄ねじを形成した口頸部２外面へ筒１４下部内面を螺合させると共に、該筒上面を頂板１５で閉塞させ、該頂板下面外周部から垂下筒１６を、また、頂板下面内周部から内筒１７を、それぞれ垂設し、垂下筒１６下面を内向きフランジ５上面へ水密に当接させると共に、内筒１７を流出筒６外面と第４嵌合筒１３内面との間の間隙に嵌合させる。そして、流出筒６の頂壁８上面にキャップ頂板１５下面を当接ないし近接させる。
このようにキャップを設ける場合には口頸部２の歯元円の直径を第２嵌合筒４外面の外径とほぼ相等しく形成する。
【００１３】
次に本実施形態の作用について説明する。
液体を塗布するには、図１に示す閉栓状態からキャップＤをはずして流出筒６を露出させた後、図２に示すように容器体Ａを倒立させればよく、すると玉弁体Ｃが係合突条７から離れて流出筒６内を下方へ摺動し、これと同時に容器体内液体が流出筒６内へ流入する。
【００１４】
そして、玉弁体Ｃが舌片状弁体１０に衝当すると、舌片状弁板１０のそれぞれが下方へ屈曲して開弁し、流出筒６内の液体が流出筒６外へ流出する。
従って、流出筒６の頂壁８を上方湾曲させる場合は、該湾曲壁の曲率を玉弁体Ｃの直径とほぼ等しいか、または、玉弁体Ｃよりも大にすると共に、十字形状の切り離し線９の長さと玉弁体Ｃの直径と流出筒６の内径とは、容器体倒立により適量液体の流出が確保される寸法関係に定め、かつ、玉弁体Ｃの比重は液体の比重よりも大にする。
【００１５】
なお、流出筒６の頂壁８を上方湾曲させる理由は、平板壁に比べ閉弁時の形状を保持する保形性が強いからである。また、流出筒６内面にはリブ１１が形成されているため玉弁体Ｃの摩擦抵抗は比較的小さい。
本実施形態では、塗布部材Ｂをゴム等の比較的柔らかい軟質材で形成するため、流出筒６先端で頭部をたたいて刺激を与えることが可能である。
塗布後、容器体Ａを正立状態にすると、図１に示すように玉弁体Ｃが下降して係合突条７上面に係合すると共に、舌片状弁板１０は弾性により元の形状に戻って閉弁状態になる。
【００１６】
【発明の効果】
請求項１記載の液体塗布容器は、流出筒頂壁を舌片状弁板に形成すると共に、流出筒内に玉弁体を設けたので、容器体を倒立させると玉弁体が舌片状弁板を開いて液体流出可能となり、従って、単に容器体を倒立させるだけで液体注出が可能になる。
しかも、流出する液量は、流出筒内径が比較的大であっても玉弁体と舌片状弁板とで形成する一種の調節弁で調節可能であり、従って、流出量を適量に定めることができる。
【００１７】
請求項２記載の液体塗布容器は、流出筒の頂壁上面にキャップ頂板下面を当接ないし近接させたので、キャップを螺合させた不使用時において舌片状弁板が上方へ屈曲して開くことは不可能であり、従って、液体漏出防止をより一層完全なものにすることができる。
【図面の簡単な説明】
【図１】本発明に係る液体塗布容器の閉栓状態を示す半断面図。
【図２】同じく、塗布部材の平面図。
【図３】同じく、使用状態を示す半断面図。
【符号の説明】
１ 胴部
２ 口頸部
３ 第１嵌合筒
４ 第２嵌合筒
５ 内向きフランジ
６ 流出筒
７ 係合突条
８ 頂壁
９ 切り離し線
１０ 舌片状弁板
１４ 筒
１５ 頂板
１６ 垂下筒
Ａ 容器体
Ｂ 塗布部材
Ｃ 玉弁体
Ｄ キャップ
【図１】
0003828261.tif 000002
【図２】
0003828261.tif 000003
【図３】
0003828261.tif 000004